(57)【特許請求の範囲】
【請求項１】
タイヤがリムに組み込まれて空気圧が大気圧状態にされたタイヤ組立体が準備される準備工程と、
このタイヤ組立体のトレッド面を押圧面に当接させてタイヤ組立体の変位量と負荷荷重とが測定される測定工程と、
この変位量と負荷荷重との関係に基づいてタイヤの剛性が評価される評価工程と
を備えており、
この評価工程では横軸を変位量とし縦軸を負荷荷重としたときに、変位量と負荷荷重との関数のグラフの第一変曲点と第二変曲点とが求められており、
この第一変曲点が変位量が０から大きくされていったときの最初の変曲点であり、
この第二変曲点が変位量が大きくされていったときの第一変曲点の次の変曲点であり、
この第一変曲点での負荷荷重が第一指標とされており、
この第二変曲点を越えて更に変位量が大きくされた所定範囲の傾きが第二指標とされており、
この第一指標と第二指標とに基づいてタイヤの剛性が評価されるタイヤの剛性評価方法。
【請求項２】
上記測定工程の押圧面が平面であり、
この押圧面がタイヤの軸方向一方のトレッド端から他方のトレッド端までのトレッド面に当接している請求項１に記載の剛性評価方法。
【請求項３】
上記押圧面の前後方向の長さと、一方のトレッド端から他方のトレッド端までのトレッド幅とを積算した面積が２５ｃｍ２  以上１００ｃｍ２  以下である請求項２に記載の剛性評価方法。
【請求項４】
上記測定工程において、負荷荷重の最大値が０．４５ｋＮ以上０．７ｋＮ以下にされている請求項１から３のいずれかに記載の剛性評価方法。
【請求項５】
上記所定範囲の傾きが、第二変曲点からの変位量が５ｍｍ以上２５ｍｍ以下にされた範囲の傾きである請求項１から４のいずれかに記載の剛性評価方法。
【請求項６】
上記第一指標が予め定めた第一基準値以上であり、かつ第二指標が予め定めた第二基準値以上であるときに、タイヤの剛性を良好と評価する請求項１から５のいずれかに記載の剛性評価方法。
【発明の詳細な説明】
【技術分野】
【０００１】
本発明は、タイヤの剛性感の評価方法に関する。詳細には、本発明は、人の感性に近い剛性感の評価方法に関する。
【背景技術】
【０００２】
市販タイヤは、性能、デザイン、ブランド、価格等の種々の観点から選定される。市販タイヤでは、購入者が実際に触れてタイヤの剛性感を評価することがある。例えば、購入者は、タイヤのトレッド部、サイドウォール部等を変形させる。この変形状態やそのときに受ける感触から、購入者は剛性感を評価する。
【０００３】
この剛性感は、タイヤを選定する一つの基準となっている。この剛性感は、官能評価で得られている。この剛性感は主観的な評価である。この剛性感を定量的に表すことは容易ではない。
【０００４】
特開２０１４−１２２８１４公報には、タイヤの剛性感の評価方法が開示されている。この方法では、タイヤに荷重が負荷されている。荷重Ｆａが負荷された状態から荷重Ｆｂが負荷された状態までのタイヤの変形量δが求められている。この荷重Ｆａと荷重Ｆｂとの荷重の変化量ｄＦと、変形量δとから、タイヤのバネ定数が計算されている。この方法は、タイヤの剛性感を定量的に評価しうる。
【先行技術文献】
【特許文献】
【０００５】
【特許文献１】特開２０１４−１２２８１４公報
【発明の概要】
【発明が解決しようとする課題】
【０００６】
特開２０１４−１２２８１４公報の剛性感の評価方法によれば、官能評価に近い評価結果が得られうる。この評価方法では、低圧の空気が充填された状態で剛性感が評価されている。一般に、市販タイヤの剛性感は、空気が充填されていないタイヤで評価される。この評価方法による評価結果は、必ずしも、市販タイヤの官能評価の結果と一致しない。
【０００７】
本発明の目的は、官能評価により近い評価結果が得られるタイヤの剛性感の評価方法の提供にある。
【課題を解決するための手段】
【０００８】
本発明に係るタイヤの剛性感評価方法は、タイヤがリムに組み込まれて空気圧が大気圧状態にされたタイヤ組立体が準備される準備工程と、このタイヤ組立体のトレッド面を押圧面に当接させてタイヤ組立体の変位量と負荷荷重とが測定される測定工程と、この変位量と負荷荷重との関係に基づいてタイヤの剛性が評価される評価工程とを備えている。この評価工程では横軸を変位量とし縦軸を負荷荷重としたときに、変位量と負荷荷重との関数のグラフの第一変曲点と第二変曲点とが求められている。この第一変曲点は変位量が０から大きくされていったときの最初の変曲点である。この第二変曲点は変位量が大きくされていったときの第一変曲点の次の変曲点である。この第一変曲点での負荷荷重は第一指標とされている。この第二変曲点を越えて更に変位量が大きくされた所定範囲における傾きが第二指標とされている。この第一指標と第二指標とに基づいてタイヤの剛性が評価されている。
【０００９】
好ましくは、上記測定工程の押圧面が平面である。この押圧面は、タイヤの軸方向一方のトレッド端から他方のトレッド端までのトレッド面に当接している。好ましくは、上記押圧面の前後方向の長さと、一方のトレッド端から他方のトレッド端までのトレッド幅とを積算した面積は、２５ｃｍ２  以上１００ｃｍ２  以下である。
【００１０】
好ましくは、上記測定工程において、負荷荷重の最大値は、０．４５ｋＮ以上０．７ｋＮ以下にされている。
【００１１】
好ましくは、評価工程の上記所定範囲の傾きは、第二変曲点からの変位量が５ｍｍ以上２５ｍｍ以下にされた範囲の傾きである。
【００１２】
好ましくは、上記第一指標が予め定めた第一基準値以上であり、かつ第二指標が予め定めた第二基準値以上であるときに、タイヤの剛性を良好と評価している。
【発明の効果】
【００１３】
本発明に係るタイヤの剛性感の評価方法では、第一変曲点と第二変曲点とが求められている。この第一変曲点での負荷荷重と、第二変曲点を越えて更に変位量が大きくされた所定範囲における傾きとが、評価の指標とされている。この剛性感の評価は、従来の剛性感の評価方法に比べて、人の官能評価により近い評価結果を得られる。
【図面の簡単な説明】
【００１４】
【図１】図１は、本発明の一実施形態に係るタイヤの剛性感の評価方法の様子の側面が示された説明図である。
【図２】図２は、本発明の一実施形態に係るタイヤの剛性感の評価方法の様子の正面が示された説明図である。
【図３】図３は、図１のタイヤの剛性感の評価方法による、変位量と負荷荷重との関数が示されたグラフである。
【図４】図４は、図１のタイヤの剛性感の評価方法による、第一指標と第二指標とが示された説明図である。
【発明を実施するための形態】
【００１５】
以下、適宜図面が参照されつつ、好ましい実施形態に基づいて本発明が詳細に説明される。
【００１６】
図１及び図２には、タイヤ組立体２と、剛性感を評価する試験機４とが示されている。このタイヤ組立体２は、試験機４に取り付けられている。以下の説明において、特に言及しない限り、図１の左右方向がタイヤ組立体２の軸方向であり、紙面に垂直な方向がタイヤ組立体２の周方向であり、試験機４の前後方向である。この説明において、上下方向は、図１の上下方向として説明がされる。図２に示される様に、このタイヤ組立体２は、タイヤ６及びリム８からなる。このリム８は、タイヤ６の正規リムである。
【００１７】
試験機４は、架台１０、支持体１２及び押圧具１４を備えている。架台１０の上部１０ａに支持体１２が取り付けられている。架台１０は、支柱１０ａと試験台１０ｂとを備えている。支柱１０ａの下端は、試験台１０ｂに固定されている。支柱１０ａは、試験台１０ｂから上方に延びている。
【００１８】
支持体１２は、支柱１０ａに支持されている。支持体１２は、支柱１０ａに対して上下方向に移動可能にされている。
【００１９】
押圧具１４は、試験台１０ｂに固定されている。この押圧具１４は上向きに面する押圧面１４ａを備えている。この押圧面１４ａは平面からなっている。この押圧面１４ａは、上下方向に垂直に交差する。この押圧面１４ａの軸方向の幅は、一方のトレッド端から他方のトレッド端までのトレッド幅より大きい。支持体１２が上向きに移動することで、支持体１２は押圧具１４から離れる。支持体１２が下向きに移動することで、支持体１２は押圧具１４に近付く。
【００２０】
支持体１２は、図示されないが、リム８を固定可能にされている。これにより、この支持体１２は、タイヤ組立体２を支持可能にされている。この支持体１２は、タイヤ組立体２を、押圧具１４に近付く向きと押圧具１４から離れる向きとに移動可能にしている。
【００２１】
図示されないが、この試験機４は、制御装置及び情報処理装置を備えている。制御装置は、支持体１２の上下移動を制御する。制御装置は、位置センサー及び荷重センサーを備えている。この荷重センサーは、タイヤ組立体２の負荷荷重を計測しうる。この位置センサーは、タイヤ組立体２の上下方向の位置を検出しうる。この制御装置は、この位置センサーにより、支持体１２の上下方向の変位量を計測しうる。
【００２２】
情報処理装置は、入力部、記憶部、演算部及び出力部を備えている。この情報処理装置として、例えばコンピュータが例示される。情報処理装置では、入力部が制御装置からデータを受信する。演算部は、データを用いて解析をする。演算部は、解析結果に基づいて評価結果を決定する。記憶部は、データ及び評価結果を記憶する。出力部はこの評価結果を出力する。例えば、この入力部はインターフェースボードであり、記憶部はハードディスクであり、演算部はＣＰＵであり、出力部はディスプレイである。この出力部として、ディスプレイと共に、又はディスプレイに代えてプリンターが用いられてもよい。
【００２３】
以下、図１及び図２２を主に参照しつつ、本発明の一実施形態に係るタイヤの剛性感評価方法が説明される。この剛性感評価方法は、準備工程と、計測工程と、評価工程とを備えている。
【００２４】
この準備工程では、タイヤ６及びリム８が準備されている。このタイヤ６がリム８に
組み込まれて、タイヤ組立体２が得られる。このタイヤ組立体２に空気が充填される。その後に減圧されて、タイヤ組立体２の空気圧は大気圧にされる。例えば、このタイヤ組立体２は、正規内圧にされた後に、大気圧にされる。正規内圧にされることで、このタイヤ６は、リム８に対して正規の位置関係で組み込まれる。タイヤ組立体２に充填されるときの空気圧は、必ずしも正規圧でなくてもよく、タイヤ６とリム８とが正規の位置関係にされる空気圧であればよい。
【００２５】
この計測工程では、試験機４の支持体１２に、リム８が固定される。大気圧にされたタイヤ組立体２が、試験機４に取り付けられる。タイヤ組立体２は、軸方向を水平方向にし、半径方向を上下方向にして取り付けられる。タイヤ組立体２は、支持体１２により、上下方向に移動可能に支持されている。
【００２６】
制御装置は、支持体１２に制御信号を送信する。制御装置は、支持体１２を下向きに移動させる。支持体１２はタイヤ組立体２を下向きに移動させる。支持体１２が移動を開始すると、位置センサーはタイヤ組立体２の位置を検出する。この位置センサーは、タイヤ組立体２の位置として、支持体１２の位置を検出してもよい。荷重センサーはタイヤ組立体２の負荷荷重を計測する。荷重センサーはタイヤ組立体２の負荷荷重として、支持体１２が受ける荷重を計測してもよい。
【００２７】
支持体１２が押圧具１４に徐々に近付いていく。タイヤ６のトレッド面６ａが押圧具１４の当接面１４ａに当接する。この発明では、トレッド面６ａと当接面１４ａとが当接する位置は、タイヤ組立体２の接地位置と称される。
【００２８】
この接地位置から、更に、支持体１２はタイヤ組立体２を下向きに移動させる。支持体１２がタイヤ６を押圧具１４に押しつける。トレッド面６ａが当接面１４ａに押しつけられる。これにより、タイヤ６が変形する。荷重センサーは、タイヤ組立体２の負荷荷重を計測する。位置センサーは、タイヤ組立体２の位置を検出する。
【００２９】
タイヤ組立体２の負荷荷重が予め設定された最大値に達したとき、制御装置は支持体１２の下向きの移動を停止する。荷重センサーは、計測を終了する。位置センサーは位置検出を終了する。この発明では、支持体１２が下向きの移動を停止する位置は、終了位置と称される。
【００３０】
この終了位置は、負荷荷重の最大値に代えて、予め支持体１２の下降端に基づいて設定されてもよい。支持体１２が下降端に達したときに、制御装置は支持体１２の下向きの移動を停止してもよい。このときに、荷重センサーは計測を終了し、位置センサーは位置検出を終了してもよい。
【００３１】
制御装置は、タイヤ組立体２の負荷荷重データ及び位置データを情報処理装置に送信する。情報処理装置は、接地位置から終了位置までの位置データと、この位置データに対応する負荷荷重データを記憶する。
【００３２】
情報処理装置は、記憶した位置データから、それぞれの位置における接地位置からタイヤ組立体２の変位量Ｄを計算する。この変位量Ｄは、接地位置を原点の０とする位置を表している。この変位量Ｄは、タイヤ組立体２の変形量を表している。この負荷荷重は、タイヤ組立体２が受ける荷重Ｆである。情報処理装置は、横軸を変位量Ｄとし縦軸を荷重Ｆとしたときの、変位量Ｄと荷重Ｆとの関数を計算する。
【００３３】
図３の太実線Ｓ１は、タイヤ組立体２の変位量Ｄと荷重Ｆとの関数のグラフである。このグラフＳ１は、接地位置の原点から変位量Ｄの増加に伴って荷重Ｆが増加している。更に、変位量Ｄが増加するとグラフＳ１は第一変曲点に至る。この第一変曲点における変位量はＤ１であり、荷重はＦ１である。この第一変曲点から変位量Ｄの増加に伴って荷重Ｆが減少している。変位量Ｄ１から変位量Ｄが増加するとグラフＳ１は第二変曲点に至る。この第二変曲点における変位量はＤ２であり、荷重はＦ２である。第二変曲点から変位量Ｄの増加に伴って荷重Ｆが増加している。
【００３４】
情報処理装置は、変位量Ｄと荷重Ｆとの関数から、第一変曲点と第二変曲点を求める。例えば、情報処理装置は、この変位量Ｄと荷重Ｆとの関数を微分して、第一変曲点と第二変曲点とを求める。この第一変曲点は、変位量Ｄが０から大きくされていったときの最初の変曲点である。第二変曲点が、変位量Ｄが大きくされていったときの第一変曲点の次の変曲点である。
【００３５】
情報処理装置は、剛性を評価するための第一指標Ａ１と第二指標Ａ２とを求める。情報処理装置は、第一変曲点における荷重Ｆ１を第一指標Ａ１に決定する。
【００３６】
情情報処理装置は、第二変曲点を越えて更に変位量が大きくされた所定範囲を決定する。図３の点線Ｍ２で囲まれた領域は、変位量が所定範囲にある領域を例示している。この関数の所定範囲の傾きＦ／Ｄが求められる。この所定範囲の傾きＦ／Ｄが第二指標Ａ２に決定される。
【００３７】
例えば、この所定範囲は、変位量Ｄ３以上Ｄ４以下の範囲にされる。このとき、変位量Ｄ３及びＤ４は、変位量Ｄ２より大きく、変位量Ｄ４は変位量Ｄ３より大きくされている。情報処理装置は、変位量がＤ３の位置の荷重Ｆ３を求める。変位量がＤ４の位置の荷重Ｆ４を求める。情報処理装置は、傾きＦ／Ｄを以下の式（１）で求める。
Ｆ／Ｄ  ＝  （Ｆ４−Ｆ３）／（Ｄ４−Ｄ３）                  （１）
【００３８】
ここでは、第二指標Ａ２を表す傾きＦ／Ｄを式（１）で求める例を示したが、この傾きＦ／Ｄの求め方は式（１）に限られない。例えば、変位量Ｄ３から変位量Ｄ４までの所定の範囲において、図３に示されるグラフＳ１が直線に近似され、この近似直線から傾きＦ／Ｄが求められてもよい。
【００３９】
情報処理装置は、この第一指標Ａ１の基準値Ｆｓと、第二指標Ａ２の基準値（Ｆ／Ｄ）ｓとを記憶している。タイヤ組立体２の第一指標Ａ１の値Ｆ１が基準値Ｆｓ以上か否かが判定される。タイヤ組立体２の第二指標Ａ２の値Ｆ／Ｄが基準値（Ｆ／Ｄ）ｓ以上か否かが判定される。タイヤ組立体２の第一指標Ａ１が基準値Ｆｓ以上であり、かつ第二指標Ａ２が基準値（Ｆ／Ｄ）ｓ以上であるとき、情報処理装置は、タイヤ組立体２の剛性感を良好と判断する。
【００４０】
この第一指標Ａ１の基準値Ｆｓと、第二指標Ａ２の基準値（Ｆ／Ｄ）ｓとは、基準タイヤから求められてもよい。基準タイヤが正規リムに組み込まれて、基準タイヤ組立体が準備される。基準タイヤ組立体の第一変曲点における荷重が基準値Ｆｓにされる。基準タイヤ組立体の変位量Ｄ３以上Ｄ４以下の範囲の傾きＦ／Ｄが基準値（Ｆ／Ｄ）ｓにされる。この基準タイヤから得られた基準値Ｆｓと基準値（Ｆ／Ｄ）ｓとを基準して、タイヤ組立体２の剛性感が評価されてもよい。
【００４１】
図３には、タイヤ組立体２と同様に、タイヤ組立体１６、タイヤ組立体１８及びタイヤ組立体２０のグラフが示されている。図３の実線Ｓ２は、タイヤ組立体１６の変位量Ｄと荷重Ｆとの関数のグラフである。二点鎖線Ｓ３は、タイヤ組立体１８の変位量Ｄと荷重Ｆとの関数のグラフである。点線Ｓ４は、タイヤ組立体２０の変位量Ｄと荷重Ｆとの関数のグラフである。
【００４２】
図３に示される様に、このグラフＳ２、Ｓ３及びＳ４は、グラフＳ１と同様に、接地位置の原点から変位量Ｄの増加に伴って荷重Ｆが増加している。更に、変位量Ｄが増加すると第一変曲点に至る。この第一変曲点から変位量Ｄの増加に伴って荷重Ｆが減少している。更に変位量Ｄが増加すると第二変曲点に至る。第二変曲点から変位量Ｄの増加に伴って荷重Ｆが増加している。この様に、大気圧状態にされたタイヤ組立体では、変位量Ｄと荷重Ｆとの関数のグラフは、第一変曲点及び第二変曲点を有している。
【００４３】
この評価工程では、変位量Ｄと負荷荷重Ｆとの関数のグラフの第一変曲点と第二変曲点とが求められている。この評価方法では、第一指標Ａ１に基づいて剛性感が評価されている。これにより、第一変曲点に至るまでの初期の剛性感が評価されている。更に、第二指標Ａ２に基づいて剛性感が評価されている。第二変曲点を越えた所定範囲の剛性感が評価されている。これにより、初期の剛性感と変位量が第二変曲点を越えた後の剛性感とが評価されている。この方法は、大気圧状態にされたタイヤ組立体の剛性感が適切に評価される。
【００４４】
この方法では、大気圧状態にされたタイヤ組立体の剛性感が評価されている。このタイヤ組立体の剛性感から、タイヤの剛性感が評価されている。通常、市販タイヤの購入者は、空気が充填されていない状態で、剛性感を確認している。この方法は、大気圧状態にされているので、市販タイヤの剛性感に近い評価を得られうる。
【００４５】
この測定工程では、この平面１４ａは、タイヤ６の軸方向に一方のトレッド端から他方のトレッド端までのトレッド面６ａに当接している。この測定工程では、タイヤ６の局部の剛性感が評価されることが抑制されている。この測定工程では、タイヤ６のトレッド及びサイドウォールの全体の剛性感が評価されている。
【００４６】
タイヤ６の全体の剛性感を評価する観点から、押圧面１４ａの平面の面積は広い方が好ましい。この評価方法において、押圧面１４ａの面積は、タイヤ６の軸方向一方のトレド端から他方のトレッド端までのトレッド幅と、押圧面１４ａの前後方向の長さとが積算されて求められる、押圧面１４ａの面積は、好ましくは２５ｃｍ２  以上である。この評価方法で、トレッド面６ａに接地しうる、押圧面１４ａの前後方向の長さには上限がある。トレッド幅において、押圧面１４ａの平面の面積は、好ましくは１００ｃｍ２以下である。
【００４７】
この発明では、外観上明瞭にトレッド面６ａのエッジによって識別しうるときには、このエッジがトレッド端とされる。外観上識別が困難な場合には、タイヤ６が正規リムに組み込まれて正規内圧にされた状態で、タイヤ６が正規荷重で平面に当接されたときの最も軸方向外側で平面に接地する接地端が、トレッド端とされる。このとき、キャンバー角０゜で平面に当接させる。この様にして定まる一方のトレッド端から他方のトレッド端までが、タイヤ６のトレッド幅とされている。
【００４８】
この測定工程では、タイヤ組立体２の負荷荷重の最大値が人がタイヤ６を変形させるときの負荷荷重の最大値と同程度にされることが好ましい。これにより、官能評価に近い評価結果が得られうる。この観点から、この負荷荷重の最大値は、好ましくは０．７０ｋＮ以下であり、更に好ましくは０．６５ｋＮ以下である。一方で、第一指標Ａ１と第二指標Ａ２を得る観点から、この負荷荷重の最大値は、好ましくは０．４５ｋＮ以上であり、更に好ましくは０．５０ｋＮ以上であり、特に好ましくは０．５５ｋＮ以上である。例えば、この負荷荷重の最大値が０．６ｋＮとされる。
【００４９】
この第二指標Ｓ２は、第二変曲点を越えて更に変形量を大きくされた所定範囲の傾きが用いられている。この第二変曲点の近傍では、傾きが変化している。この第二変曲点から十分に離れた変位量の範囲に所定範囲が設けるされることが好ましい。この観点から、この所定範囲の下限値では、第二変曲点からの変位量が好ましくは５ｍｍ以上であり、更に好ましくは１０ｍｍ以上である。一方で、第二変曲点から大きく離れると、傾きの誤差が大きくなり易い。この傾きの誤差を小さくする観点から、この所定範囲の上限値では、変曲点からの変位量は好ましくは２５ｍｍ以下であり、更に好ましくは２０ｍｍ以下である。
【００５０】
この評価工程では、第一指標Ａ１が基準値Ｆｓ以上であり、且つ第二指標Ｓ２が基準値（Ｆ／Ｄ）ｓ以上であるときに、タイヤ６の剛性が良好と評価されている。第一指標Ａ１が基準値Ｆｓ以上であるか否かが評価されている。第二指標Ａ２が基準値（Ｆ／Ｄ）ｓ以上であるか否かが評価されている。この評価方法は、客観的に定量的評価が可能にされている。この評価は、主観的なバラツキが排除されている。
【００５１】
図４の黒丸印は、タイヤ組立体２の第一指標Ａ１である荷重Ｆと第二指標Ａ２である傾きＦ／Ｄとの関係を示している。黒三角印は、タイヤ組立体１６の第一指標Ａ１である荷重Ｆと第二指標Ａ２である傾きＦ／Ｄとの関係を示している。同様に、黒四角印は、タイヤ組立体１８の第一指標Ａ１である荷重Ｆと第二指標Ａ２である傾きＦ／Ｄとの関係を示している。黒菱形印は、タイヤ組立体２０の第一指標Ａ１である荷重Ｆと第二指標Ａ２である傾きＦ／Ｄとの関係を示している。
【００５２】
例えば、タイヤ組立体１８が基準タイヤ組立体とされてもよい。タイヤ組立体１８から求められる荷重Ｆが基準値Ｆｓとされ、傾きＦ／Ｄが基準値（Ｆ／Ｄ）ｓ以上とされてもよい。この基準値基準値Ｆｓと基準値（Ｆ／Ｄ）ｓとに基づいて、他のタイヤ組立体の剛性感が評価されてもよい。
【００５３】
図４に示される様に、第一指標Ａ１と第二指標Ａ２との大小関係から、タイヤの剛性感の順位付けがされうる。この図４では、タイヤ組立体２のタイヤ６が最も剛性感が高い。次に、タイヤ組立体１６のタイヤの剛性感が高い。その次に、タイヤ組立体１８のタイヤの剛性感が高い。タイヤ組立体２０のタイヤが最も剛性感が低い。
【００５４】
この剛性感評価方法では、必ずしも剛性感の良否判定は必要とされない。図４に示される様に、複数のタイヤ組立体のタイヤの剛性感の比較、順位付けがされてもよい。複数のタイヤ組立体の第一指標Ａ１と第二指標Ａ２と測定されて、この第一指標Ａ１と第二指標Ａ２との大小関係から、タイヤの剛性感の順位付けがされてもよい。
【００５５】
本発明では、正規リムとは、タイヤ２が依拠する規格において定められたリムを意味する。ＪＡＴＭＡ規格における「標準リム」、ＴＲＡ規格における「Design Rim」、及びＥＴＲＴＯ規格における「Measuring Rim」は、正規リムである。正規内圧とは、タイヤ２が依拠する規格において定められた内圧を意味する。ＪＡＴＭＡ規格における「最高空気圧」、ＴＲＡ規格における「TIRE LOAD LIMITS AT VARIOUS COLD INFLATION PRESSURES」に掲載された「最大値」、及びＥＴＲＴＯ規格における「INFLATION PRESSURE」は、正規内圧である。正規荷重とは、タイヤ２が依拠する規格において定められた荷重を意味する。ＪＡＴＭＡ規格における「最高負荷能力」、ＴＲＡ規格における「TIRE LOAD LIMITS AT VARIOUS COLD INFLATION PRESSURES」に掲載された「最大値」、及びＥＴＲＴＯ規格における「LOAD CAPACITY」は、正規荷重である。
【実施例】
【００５６】
以下、実施例によって本発明の効果が明らかにされるが、この実施例の記載に基づいて本発明が限定的に解釈されるべきではない。
【００５７】
［官能評価］
タイヤ組立体２、タイヤ組立体１６、タイヤ組立体１８及びタイヤ組立体２０のそれぞれのタイヤの剛性感が官能評価された。剛性感の評価結果が順位付けされた。その結果が表１に示されている。この結果は、数字が小さい方が剛性感が高い。表１のＳ１、Ｓ２、Ｓ３及びＳ４は、それぞれタイヤ組立体２、タイヤ組立体１６、タイヤ組立体１８及びタイヤ組立体２０を表している。
【００５８】
［テスト１］
本発明に係る剛性感評価方法により、タイヤ組立体２、タイヤ組立体１６、タイヤ組立体１８及びタイヤ組立体２０のそれぞれのタイヤの剛性感が評価された。それぞれのタイヤの剛性感がタイヤ組立体２の剛性感を１００とする指数で表されている。この指数は、例えば第一指標Ａ１と第二指標Ａ２との合計値に基づいて定められてもよい。この指数は、数字が大きいほど剛性感が高い。その結果が表１に示されている。
【００５９】
［比較テスト１］
タイヤ組立体２に、空気が充填されて正規内圧の１０％の内圧状態にされた。凸状球面形状の当接面を備える押圧具が準備された。この押圧具の当接面がタイヤ組立体２のトレッド面の軸方向中央に当接された。押圧具を押しつける荷重の変化量ｄＦとタイヤの変形量δとが測定された。この変形量ｄＦと変形量δとから、係数ｄＦ／δが求められた。タイヤ組立体１６、タイヤ組立体１８及びタイヤ組立体２０についても、タイヤ組立体２と同様にして、係数ｄＦ／δが求められた。これらの係数ｄＦ／δがタイヤ組立体２のそれを１００とする指数で表されている。この指数は、数字が大きいほど剛性感が高い。その結果が表１に示されている。
【００６０】
［比較テスト２］
タイヤ組立体２に、空気が充填されて正規内圧状態にされた。このタイヤ組立体２のトレッド面が平面に当接された。タイヤ組立体２が平面に押しつけられる荷重の変化量ｄＦとタイヤの変形量δとが測定された。この変形量ｄＦと変形量δとから、係数ｄＦ／δが求められた。タイヤ組立体１６、タイヤ組立体１８及びタイヤ組立体２０についても、タイヤ組立体２と同様にして、係数ｄＦ／δが求められた。これらの係数ｄＦ／δがタイヤ組立体２のそれを１００とする指数で表されている。この指数は、数字が大きいほど剛性感が高い。その結果が表１に示されている。
【００６１】
【表１】
0006422162.tif 000002
【００６２】
表１に示される様に、テスト１の評価結果は、官能評価の結果と一致していた。更に、テスト１では、比較テスト１及び比較テスト２に比べて、剛性感の評価結果に大きな差が確認された。比較テスト１では、剛性感の評価結果の差は僅かであった。比較テスト２では、剛性感の評価結果の差は、比較テスト１のそれより大きいが、テスト１のそれより小さかった。このテスト１の剛性感評価方法は、官能評価により近い評価結果が得られている。テスト１の剛性感評価方法は、比較テスト１及び比較テスト２の方法に比べて、タイヤの剛性感の評価が容易にされている。
【００６３】
本発明の剛性感評価方法によれば、タイヤの剛性感を定量的に評価できる。この評価結果から、本発明の優位性は明らかである。
【符号の説明】
【００６４】
２・・・タイヤ組立体
４・・・試験機
６・・・タイヤ
６ａ・・・トレッド面
８・・・リム
１０・・・架台
１２・・・支持体
１４・・・押圧具
１４ａ・・・押圧面
【図１】
0006422162.tif 000003
【図２】
0006422162.tif 000004
【図３】
0006422162.tif 000005
【図４】
0006422162.tif 000006